(57)【要約】【課題】ブラジャーのホックを、どのようなユーザーやどのような着衣方法を採っても経年による金具の取付部位の型崩れが起きず、ループやフック、特にループ金具やフック金具を一層強度十分に支持でき、付け心地も良好、製造も容易なものとする。【解決手段】フックとループで成るブラジャー用ホックにおいて、芯地を極力短くする。またこれにあわせて、主布地、補強用本地の折り方、各部の長さに工夫を凝らす。フックとループの衣服本体への縫い付けに際して、観音開きによる衣服本体の挟み込みや千鳥縫いを廃止し、衣服本体にいわば乗せて直線状に縫付ける。縫付けは、直線状にする。【選択図】  図３
2005054281.tif 000002
【特許請求の範囲】
【請求項１】
胸部分に巻回して着用するため、左右一対の乳房カップと背中側において引掛けによる係合とその離脱が自在のループとフックからなるホックとを有する衣類のホックであって、
上記フックは、
フック金具と、
先端はフック金具のループに係合する部分に入り込み、後端は衣類本体への取付け代確保のためフック金具の根本部よりはみ出した芯材と、
該芯材のフック金具側かつフック金具の根本部に面する部分と反フック金具側全面とを覆う補助布地と、
前記補助布地の反フック金具側にあり、後端は該補助布地と同じ位置であり、長さはその２倍かつ折返し自在な主布地からなり、
かつこれらフック金具と芯材と補助布地と主布地を前記芯材と補助布地の先端側位置で共縫いしてあることを特徴とする乳房カップを有する衣類のホック。
【請求項２】
請求項１記載の乳房カップを有する衣類のホックであって、
前記主布地の先端側をその先端が後端と重なるようにそして反フック金具側に折り曲げ、この折り曲げた線が衣類本体の先端と一致し、かつ反フック金具側を衣類本体に当て、更に補助布地、芯材と併せて後端側及び２ヵ所の側部を衣類本体に直線縫いで縫い付けて固定したものであることを特徴とする乳房カップを有する衣類のホック。
【請求項３】
胸部分に巻回して着用するため、左右一対の乳房カップと背中側において引掛けによる係合とその離脱が自在のループとフックからなるホックとを有する衣類のホックであって、
上記ループは、
ループ金具と、
後端が前記ループ金具の根元部の後端に在り、先端はループ金具の先端よりも先にある芯材と、
該芯材を挟み込み、更に先端は前記芯材と同じ位置であり、後端は衣類本体への取付け代確保のため芯材よりも後方にある主布地と、
該主布地と前記ループ金具との間に在り、後端はループ金具の根元にあり、先端は前記主布地に固定された補強布地と、
先端は前記ループ金具の根元部の先端にあり、後端は前記主布地の後端と同じ位置であり、更にループ金具の根元部を前記補強布地と挟み込む当て布からなり、かつこれらループ金具と芯材と主布地と補強布地と当て布を前記ループ金具の根元部の先端側位置にて共縫いしてあることを特徴とする乳房カップを有する衣類のホック。
【請求項４】
胸部分に巻回して着用するため、左右一対の乳房カップと背中側において引掛けによる係合とその離脱が自在のループとフックからなるホックとを有する衣類のホックであって、
上記ループは、
巻回し方向の先後方向に並んだループ金具と、
その後端は前記ループ金具の最後方のものの根元部の後端にあり、その先端はループ金具の最先方のものよりも先にある芯材と、
該芯材を挟み込み、更に先端は前記芯材と同じ位置であり、後端は衣類本体への取付け代確保のため芯材よりも後方にある主布地と、
該主布地と前記ループ金具との間に在り、後端は最先方のループ金具の根元部にあり、後端は前記主布地に固定された先方の補強布地と、
先端は前記ループ金具のうち先方にあるものの根元部に位置し、更に主布地とで次の先方にあるループ金具を挟み込み、後端は該ループ金具より１つ後方のループ金具の根元部にあり、更に該ループ金具と主布地に挟み込まれる途中の補強布地と、
先端は前記ループ金具の最後方のものの根元部の先端にあり、後端は前記主布地の後端と同じ位置であり、更に最後方の前記ループ金具の根元部を前記途中の補強布地と挟み込む当て布からなり、
かつこれらループ金具と芯材と主布地と補強布地と途中の補強布地若しくは当て布からなる５部材を前記各ループ金具の根元部の先端側位置にて直線縫いにて共縫いしてあることを特徴とする乳房カップを有する衣類のホック。
【請求項５】
請求項３若しくは請求項４記載の乳房カップを有する衣類のホックであって、
ループは、
前記主布地の後端と前記当て布の後端を重ね更に衣類本体に当て布を重ねた状態で重ねた部分の後端と両側部を直線縫いで縫い付けて固定したものであることを特徴とする乳房カップを有する衣類のホック。
【発明の詳細な説明】
【０００１】
【発明の属する技術分野】
本発明は、ビキニ水着やブラジャーといった乳房カップを有する衣類のホックに係り、詳しくは、ブラジャー本体の一端に装着されたフックと、他端に装着されたループとから成るホックの取付構造に関する。
【０００２】
【従来の技術】
周知技術ではあるが、先ず乳房カップを有する衣類について概略・説明する。図１に、従来から広く使用されているブラジャーの例を示す。
【０００３】
このブラジャーＡは、左右一対の乳房カップ１と、前中心部から脇布部までを含む土台部１２と、土台部１２の背側に続くバック部（本体の一例）１３と、乳房カップ１の上縁部とバック部１３の間に掛け渡された肩ストラップ１４とを主要なパーツとしている。なお、伸縮性（特に左右に引く方向の伸縮性）を有するバック部１３の背中の部分、いわゆるブラジャーバンドの部分には、係脱自在のホック５１が取付けられている。
【０００４】
立体成型されたカップ部１は、脇寄り部分から中間部分を経て前中心寄り部分にかけて略Ｌ字形（向かって右側の乳房カップでは左右が逆の略Ｌ字形となる）に湾曲した下縁湾曲部１６を有している。そして、この下縁湾曲部１６には、補強用及び保形用としてのワイヤーが内蔵されている。
【０００５】
ホックは、一方のバック部金具付係止片の端部に装着されたフック金具付係止片（以下、「フック」と記す）と、他方のバック部３の端部に装着された金具付係止片（以下、「ループ」と記す）とから成るものであり、フックの金具（フック金具）をループの金具（ループ金具）に引掛け係合及び離脱自在に構成された公知の構造である。
【０００６】
ところで、このブラジャーのバックの先端に取付けるフックを製造する場合には、複数枚の薄い合成樹脂製シートを重ね合せてなる帯状のシート体の巾方向に例えば２個１組としてホック金具を一定間隔で取付け、更にこの組を巾方向に一定間隔で何組も取付けて隣接する巾方向ホックの組の中間部を上下のホーンでシールカットしていた。なおこの場合には、このホック付係止片の両側はシールカットされ、このためこのシールカット部は溶着で硬くなっている。又、シールカットせず単にカットした場合は、ホック付係止片の取付部及び上下縁部をミシン縫いしていた。そして、ブラジャーのバックの先端に取付けるときには、この端部をブラジャーバンドの一端に縫着して固定していた。
【０００７】
また、柔らかい布地に縫合によって金具を固定するものであるため、縫合部には補強のため多少固めの芯材を使用していた。
【０００８】
ループのときも同様である。但し、ループのときには、ループ金具はフックに合せてシートの巾方向は例えば２個１組とされるが、装着する人の胸囲、いわゆるバストの差にもある程度応じられるようにする等のためシートの長さ方向にこれが２、３組取付けられることもある。なお、ユーザーの胸囲の相違への適合、補償は主にバック部等の伸縮によるのは勿論である。
【０００９】
更に、ブラジャーのバックの先端等衣類本体との縫合は、ホック用金具を取付けたホック、すなわちフック金具やループ金具を芯材を使用して縫いつけた布地の取付部を上下２層の布地からなる構造とし、更に両層を観音開きとし、その間へ衣類本体の取付部、図１に示すブラジャーならばバックの先端を差し込み、この上で３層の布地を千鳥縫いしていた。これらの様子を以下の特許文献１から３に示す。
【００１０】
【特許文献１】
特開平０９−２５０００３号公報（図１５〜図１９参照）
【００１１】
【特許文献２】
実用新案登録第３０７５３９５号公報（図１〜図１０）
【００１２】
【特許文献１】
実開平０５−０３７９０７号公報
【００１３】
【発明が解決しようとする課題】
しかしながら、上記従来のホックは、ループ金具やフック金具を柔らかい布地に縫合によって取付けてあるのでこれら金具を十分に支持固定するのは難しく、ユーザーやその着用の仕方の如何によっては使用による経時変形が生じ、これにより金具の支持が緩んでしまったり、金具が布地から外れたりするおそれがあった。
【００１４】
また同じく、引張られるホックが、支持強度不足のため歪み、このため地肌に強く当たって付け心地を悪くしたり、それによって見栄えが低下したりすることもあった。
【００１５】
また、ブラジャーは直接肌につけるものであるが、比較的硬い芯地を入れているため、ユーザーの体格や着方更には運動の如何等によっては、芯地部の布地の各部が、特に角部やその他シールカットで溶着した部分が皮膚を突き、ユーザーによっては不快な思いをさせる、あるいはユーザーによっては気になることがあった。
【００１６】
また、衣類本体を挟み込んで縫着すると、どうしても縫着部が斜めの状態で肌に当たり、これまたユーザーによっては不快な思いをすることがあった。
【００１７】
また、縫着部が斜めであると芯地をも縫い付けるためのミシンの針は布地面に直交して上下するため、針が折損する危険性があった。
【００１８】
このため、乳房カップを有する衣類において、どのようなユーザーに対してもループ金具やフック金具の支持、固定が容易であり、しかも確実な取付けをなしうる技術の開発が望まれていた。
【００１９】
また、どのようなユーザーに対してもより着心地が良く、しかもより製造の容易な乳房カップを有する衣類の開発が望まれていた。
【００２０】
【課題を解決するための手段】
本発明は、以上の課題を解決することを目的としてなされたものであり、胸部分に巻回して着用するため、左右一対の乳房カップと背中側に引掛けによる係合とその離脱が自在なループとフックからなるホックを有するブラジャー、水着等の衣類において、芯地の巾を出来るだけ短くしている。また、衣類本体との縫い付けを単なる重ね合わせとしており、しかも直線縫いとしている。具体的には、以下の構成あるいは構造としている。
【００２１】
１の態様においては、本来フックと言われているフック金具と、先端はフック金具のループに係合する部分に一杯に、あるいは充分に入り込み、後端は衣類本体（あるいはブラジャーのバックの先端部）への取付け代確保のためフック金具の根本部より例えば数ｍｍ程度バック側（後方）へはみ出した芯材と、該芯材のフック金具側かつフック金具の根本部に面する部分と反フック金具側前面とを覆う補助布地と、補助布地の反フック金具側にあり、後端は補助布地と（一体の布地を使用する等のためもあり）同じ位置であり、長さはその２倍かつ折返し自在な主布地からなり、かつこれら４部材を芯材と補助布地の先端側位置で共縫いしてある。なお、フック金具取付部はその部分が確実に固定されるよう縫線が折れ曲がって共縫いされている。
【００２２】
また１の態様においては、先の態様のホックを、主布地の先端側をその先端が後端と重なるようにそして反フック金具側に折り曲げ、この状態で折り曲げた方の布地面を折り曲げ線が衣類本体先端の、すなわちバックの先端に当て、更に補助布地、芯材と併せて後端側及び２ヵ所の側部を衣類本体に直線縫いで縫い付けて固定している。
【００２３】
また別の態様においては、ループは、本来ループと言われているループ金具と、後端がループ金具の根元部の後端に在り、先端はループ金具の先端よりも数ｍｍ程度先にある芯材と、芯材を衣類を着衣した状態での上下方向から挟み込み、更に先端は芯材と同じ位置であり、後端は衣類本体への取付け代確保のため芯材よりも７〜８ｍｍ程度後方にある主布地と、主布地とループ金具との間に在り、後端はループ金具の根元にあり、先端は主布地に固定された（含む、折返して形成されたため連結する）補強布地と、先端はループ金具の根元部の先端にあり、後端は主布地の後端と同じ位置であり、更にループ金具の根元部を補強布地と下上から挟み込む当て布からなり、更にこれら５部材を当て布の先端側位置にて共縫いしてある。なお、ループ金具取付部は、その確実性確保のため縫線が折れ曲がって共縫いされる等している。
【００２４】
また別の態様においては、先の態様がループ金具が２個等１組（１個１組、３個１組等を含む）であったのに対して、２個等１組を取付け用シートの長さ方向、着衣した状態では背中のバック（紐）の方向に何組か備えている。このため、先端側のループ金具の当て布がその１つ後方のループ金具の補強布地とされている。
【００２５】
また１の態様においては、先の２つの態様のループを衣類本体、この場合フックと反対側のバック先端に取付ける際、（ループ金具の数が複数ならば最後部の）当て布の先端にバック先端を当て、この状態で主布地と重ねて最後部と両側面を直線状に共縫いしている。
【００２６】
【発明の実施の形態】
以下、本発明をその実施の形態に基づいて説明する。
【００２７】
（第１の実施の形態）
本実施の形態は、フックあるいはフック金具の布地への取付けに関する。
【００２８】
本実施の形態のフックを図２に示す。本図の（Ａ）はフック金具をループに引掛ける部分の方から見た平面を示す。（Ｂ）は（Ａ）の各部の積層の様子を概念的に示す断面図である。また概念図であるため、布地は単なる線で示している。
【００２９】
本図２において、２はフック金具である。４２は芯材である。５２は補助布地である。６２は主布地である。本図に示すように、このフックは、布地に図上上下２列で計２個のフック金具２を縫い付けている。
【００３０】
フックの布部は、本図２に示すように、ポリエステル製の芯材（芯地）４２と、これを包込む状態に両端が内折りされたポリエステルバックハーフ製の本体（布地本体）から構成されている。本体は、互いに折返し接続されている主布地６２と補助布地５２からなる。また、主布地５２はその先端側からフック金具２側に内折りされている。補助布地５２は、フック金具２の先端側からフック金具２側に内折りされている。このため、布地本体は、部分４層構造になっている。なお、主布地部の平面長さは補助布地部のそれの２倍としている。芯材４２は、補助布地と同じ長さ及び巾を有しており、この補助布地により挟み込まれている。
【００３１】
フック金具２は、本図に示すように、ステンレス製の線材を複雑に屈曲形成して形成されており、図２の（Ａ）に示すＵ字状に曲げられた引掛け部２１と、図２の（Ｂ）に示すように引掛け部２１の下側に位置して外側に曲げ形成された平面形が四角形若しくは略環状（形状は周知なので図示せず）の一対の布地への取付部（根元側部）２２とを有している。本図の８２は、縫い付け線を示す。
【００３２】
本図に示すように、縫い付けは直線状であるが、フック金具根元の取付部２２は図上左方に入り込み、これにより確実な取付けを図っている。
【００３３】
なお、このフックは、フック金具の取付部長さは６〜８ｍｍ程度、フック金具の間隔は１９ｍｍ程度、完成した状態での主布地部の平面形は前後（図上左右）方向は２８ｍｍ程度、着衣時の上で方向（図上上下方向）は３８ｍｍ程度である。このため製造時は主布地と補助布地は１枚の布地を折りたたんで製造され、２個１組のフック金具が図上上下方向に複数取付けられ、この状態でフック金具が２個１組でシールカットされる。このため、図上上下の端縁は高周波融着される。
【００３４】
（第２の実施の形態）
本実施の形態は、先の実施の形態のフックの衣類本体への取付に関する。
【００３５】
以下、本実施の形態を図を参照しつつ説明する。図３に、先の実施の形態のフックを衣類本体、例えばブラジャーのバック部先端１３２に取付けた様子を概念的に示す。本図の（Ａ）は、衣類本体へフックを取付けた様子の平面を、（Ｂ）は断面を概念的に示したものである。
【００３６】
本図において、９２はこの際の縫い部である。本図の（Ａ）に示すように、この縫い方は直線状であり、またフックの後端部と両側端部を縫うため縫い部は全体としていわゆるコの字状になっている。
【００３７】
また、この部分の積層構造であるが、上述のごとく補助布地５２の平面長さ（内折りされた部分を重ねたままの長さ）は、主布地の長さの半分としてある。このため、主布地５２を反補助布地側へ折り曲げ、その先端が補助布地の後端と同一の位置にくるようにする。これにより、主布地は３層となる。この元で主布地の折返し部６２１が衣類本体のバック部１３２先端に面するように縫着してある。このため、本図の（Ｂ）に明瞭に示すように、従来のものと異なり芯地は１層となる。この下で、フックの後端と両側面をバック部１３２の先端と共縫いする。
【００３８】
（第３の実施の形態）
本実施の形態は、ループあるいはループ金具の布地への取付けに関する。本実施の形態のループを図４に示す。本図の（Ａ）はこのループの平面の特徴を（Ｂ）は断面の特徴を概念的に示す図である。本図に示すように、このループは２個１組のループ金具を２組備えている。
【００３９】
本図において、３はループ金具であり、４３はポリエステル製の芯材（芯地）である。６３は、これを包込む状態に２つ半折りされたポリエステルフレンチパイル製の主布地である。５３は、ポリエステルバックハーフ製で先折状の補助布地である。７３は、同じくポリエステルバックハーフの当て布である。８３１と８３２１は、各ループ金具を布地に縫いつける線である。
【００４０】
主布地は、本図の（Ｂ）に示すように、地肌側となる部分６３１と、これの根元側からループ金具側へ折り返された外側片部６３２と、地肌側部の先端側からループ金具側へ折り返された折返し小片部６３３とからなる。そして、地肌側の部分と外側片部との間に芯材４３が包込まれている。なお、本実施の形態では折返し小片部は先端側の組のループ金具取付けのための補強布地を兼ねる。また、補助布地５３は、１列目（図上左方の根元側列）のループ金具３１から２列目（図上右方の先端側列）のループ金具３２に亘る長さを有した表地部と、その先端側をループ金具３２側へ折返して成る長さの短い裏地部５３１とからなる。この裏地部の先端は第１列のループ金具のループ部後端に位置し、このためこの列のループ金具の当て布の役を担う。当て布７３の長さは、主布地の根元側端から１列目のループ金具に亘る比較的短いものである。
【００４１】
ループ金具３はステンレス製の線材を屈曲形成して形成されており、図４の（Ａ）において見える部分であるＵ字状の被係合部と、当て布等で被覆されて見えない箇所である一対の取付（根元）部とを備えている。根元側の１列目ループ金具３１は本図の（Ａ）に示すように当て布、ループ金具の取付部、補強布地、折返した主布地、芯材、の６層を共縫いする縫い目８３で一体化することで固定装備されている。なお、縫い目には２個のループ金具各２個の取付部を縫い付けるために合計４箇所の張出し縫い部８３１ａがある。
【００４２】
先端側の２列目ループ金具３２においては、本図の（Ｂ）に示すように、補強布地の本体とその折返し部分、ループ金具の取付部、心材、主布地の地肌部と外側片部、１／２の折返し小片部の７層を共縫いする縫い目８３２で一体化して固定装備されている。縫い目８３２には、縫い目８３１と同様に、ループ金具の取付部を縫付けるための４箇所の張出し縫い部８３２ａがある。
【００４３】
これにより、１列目のループ金具３１においては、これの根元側端と、当て布の根元側端と、芯材４３の根元側端とが揃うように縫い付けられる。２列目のループ金具３２においては、主布地の折返し小片部６３３の根元側端、取付部及び補助布地の折返し部５３１の先端とが揃うように縫い付けられる。
【００４４】
なお、本実施の形態のループは、図４の（Ａ）に示す状態で先後（図上左右）方向は４３ｍｍ、上下（図上上下）方向は３８ｍｍ程度である。このため、実際の製造ではこの４個１組のループ金具を図上上下方向に多数並べた布地の上下端を所定間隔でシールカットする。このため、図上上下の端線は、高周波融着によって一体化を伴う端部処理を施されることとなる。
【００４５】
（第４の実施の形態）
本実案の形態は、先の実施の形態のループの衣類本体への取付に関する。
【００４６】
図５に、先の実施の形態のループを衣類本体、すなわちバック部の先端に取りつけている様子を概念的に示す。なお、本図の（Ａ）は平面を、（Ｂ）は断面を示すものである。
【００４７】
本図において、１３３はループが取りつけられる衣類本体のバック部の先端である。９３は、縫い付部である。９３１は、押え縫い部である。本図に示すようにバック部１３３をループの当て布に図上上から当てた状態で縫い付ける。また、この縫い部は、縫い付け面が平行となる、あるいは傾いていないこともあり、従来の千鳥状と異なり、直線から成る四角形であり、かつコの字型としている。更に、コの字の開口部を押え縫いしている。
【００４８】
（その他の実施の形態）
以上、本発明を４つの好ましい実記の形態に基づいて説明してきたが、本発明は何もこれらに限定をされるものではない。例えば、以下のようにしてもよい。
【００４９】
第１の実施の形態のみ採用する。すなわち、図６に示すように、主布地をコの字型に外折りし、コの字の内部にバック先端１３２を挿入し、この上で、芯地、補助布地、２層の主布地を共縫いする。なお、縫い部９２０は直線状、千鳥状等種類を問わない。
【００５０】
第３の実施の形態のみ採用する。すなわち、図２に示すように、主布地の根元側と当て布の後端側との間に、バック部の端部１３３を挟み込み、その挟みこんだ状態で、これら３層を共縫い縫合することにより、フックをバック部に縫い付け固定する。なお、縫い部９３０、９３１は直線状、千鳥状等種類を問わない。
【００５１】
フック金具を１個だけ設け、ループ金具を１段で２列の計２個設けたものとしている。あるいは、フック金具を１組３段で１列の計３個設け、ループ金具を３段で２列の計６個設けている。
【００５２】
その他、乳房カップを有した衣類としては、ビキニ水着の上や、胸の下側部分を矯正し、その部分がブラジャーに一体化された下着等、他種々の衣類としている。
【００５３】
各部の寸法は多少相違し、また材料も他のものを使用している。
【００５４】
製造誤差や製造の都合で、各部の先端や後端は必ずしも一致せず、１ｍｍ程度の不揃がある。その他、主布地の長さは補助布地の丁度２倍でなく、±１０％程度の相違がある。
【００５５】
主布地と補助布地は最初から別の布地を使用している。
【００５６】
【発明の効果】
以上の説明で判るように、本発明においては、フック及びループのいずれにおいても、強度部材である芯材を挟み込み配置してあるので、フック金具やループ金具の主布地への縫合による取付強度を十分なものにすることができる。
【００５７】
また、芯材は先行方向に短いため、着る際も洗濯等の際にも優れたものとなる。勿論、縫製時の針の折損も少なくなる。
【００５８】
また、芯材は折返しがないので布地の折返しが楽、かつ芯材の折返しの回数を少なくすることができ、フックやループ全体としての厚みを減らして薄く作ることが可能になる。
【００５９】
補強用の芯材が、主布地の平らな形状を維持することができ、それによって着用時における引掛りが解消される。しかも、フックにおいては比較的硬い芯材を柔らかい布地で包む際、従来のものが主布地で包み込むのに対して補助布地で包み込むだけであり、工程的に問題は生じない。ループにおいては、ループ金具の位置する部分には芯材があるので、フックの引掛けが楽である。
【００６０】
そして、フックにおいては、折返して縫付けることになる主布地の先端側部分、ループにおいては、最も根元側に位置するループ金具から根元側へは、比較的硬い材料である芯材が存在しないようにしてあるから、肌に接触した時の感触を、極力ソフトなものにすることができ、付け心地も改善することができる。
【００６１】
また、加えて、折返し箇所の減少により、外観も改善され製造も容易となる。
【００６２】
また、縫い部も直線であると、肌への違和感もなくなる。
【図面の簡単な説明】
【図１】ブラジャー全体の斜視図である。
【図２】本発明に係るフックの実施例の平面と断面の特徴を概念的に示した図である。
【図３】上記実施例のフックを衣類本体に縫い付けた様子を概念的に示す図である。
【図４】本発明に係るループの平面と断面の特徴を概念的に示した図である。
【図５】上記実施例のループを衣類本体に縫い付けた様子を概念的に示した図である。
【図６】本発明に係るフックを他の方法で衣類本体に縫い付ける様子を示す図である。
【図７】本発明に係るループを他の方法で衣類本体に縫い付ける様子を示す図である。
【符号の説明】
１      乳房カップ
１２    土台部
１３    バック部
１３２  バック部先端（フック金具側）
１３２  バック部先端（ループ金具側）
２      フック金具
２１    引掛け部
２２    布地への取付部
３      ループ金具
３１    ループ金具（根元側）
３２    ループ金具（先端側）
４２    芯地（フック金具部）
４３    芯地（ループ金具部）
５１    ホック
５２    補助布地（フック金具部）
５３    補助布地（ループ金具部）
６２    主布地（フック金具部）
６３    主布地（ループ金具部）
７３    ループ金具の当て布
８２    フック金具を布地へ取付けるための縫い線
８３１  ループ金具を布地へ取付けるための縫い線
８３２  ループ金具を布地へ取付けるための縫い線
９２    フックを衣類に縫い付けるための線
９３    ループを衣類に縫い付けるための線
【図１】
2005054281.tif 000003
【図２】
2005054281.tif 000004
【図３】
2005054281.tif 000005
【図４】
2005054281.tif 000006
【図５】
2005054281.tif 000007
【図６】
2005054281.tif 000008
【図７】
2005054281.tif 000009